(57)【要約】【課題】ベルトコンベヤのローラが突然回転しなくなると、軸受が発熱し、この発熱が原因で火災が発生する。そこで、ローラの異常温度を検知してその旨を知らせるようにしたローラを提供することにある。【解決手段】  筒状のローラ本体１と、このローラ本体の軸芯に貫通するシャフト２と、上記ローラ本体の両端内に組み込んで上記シャフトに対し前記ローラ本体がフリーに回転するように軸承する軸受とからなるローラＡにおいて、上記シャフトの端面に発光部Ｂを設け、また上記シャフトに電源Ｄを設け、さらに上記シャフトの端部に上記軸受の異常な昇温にともないＯＮになる熱感知スイッチＣを設け、上記シャフトに上記熱感知スイッチのＯＮにともない上記発光部を発光させる電源Ｄを設けた構成を採用する。【選択図】図２
2016147720.tif 000002
【特許請求の範囲】
【請求項１】
筒状のローラ本体と、このローラ本体の軸芯に貫通するシャフトと、上記ローラ本体の両端内に組み込んで上記シャフトに対し前記ローラ本体がフリーに回転するように軸承する軸受とからなるローラにおいて、上記シャフトの端面に発光部を設け、また上記シャフトに電源を設け、さらに上記シャフトの端部に上記軸受の異常な昇温にともないＯＮになる熱感知スイッチを設け、上記シャフトに上記熱感知スイッチのＯＮにともない上記発光部を発光させる電源を設けたことを特徴とするローラ。
【発明の詳細な説明】
【技術分野】
【０００１】
この発明は、ローラの異常温度を検出することができるローラに関するものである。
【背景技術】
【０００２】
ベルトコンベヤには、ベルトを支承する多数本のローラが使用されている。
このローラは、周知のように、筒状のローラ本体と、このローラ本体の中心を貫通するシャフトと、上記ローラ本体の両端内に組み込んで上記シャフトの端部を軸承する軸受とで構成されている（例えば、特許文献１参照）。
【０００３】
また、上記ローラの異常（例えば昇温）を検知する装置が既に知られている（例えば、特許文献２参照）。
【先行技術文献】
【特許文献】
【０００４】
【特許文献１】特開２０１０−１５０００３号公報
【特許文献２】特許第３７９８４９４号公報
【発明の概要】
【発明が解決しようとする課題】
【０００５】
ところで、近時のベルトコンベヤによる火災事故があった場合、その要因は、ベルトコンベヤの部品であるローラも原因の一つであるかのような疑念を持たれることがあり、大きな問題は、ベルトコンベヤの運転中にローラが突然回転しなくなることと推察される。
【０００６】
その原因は、特許文献１に示すローラの軸受に組み込んであるベアリング内部に異物が浸入することにあり、その結果、回転部がロックされ、ロックにともない発熱又は破損する。
【０００７】
他に、リターンローラ部では、ベアリング部に異常がなくても、堆積物当によってローラ本来の回転が妨げられ破損することがある。
【０００８】
また、過負荷状態が続いたり無理な運転状態の偏り荷重でローラの許容荷重値以上の負荷が続く場合もベアリング部に無理がかかって回転しなくなることで破損し、発熱を招くことがあり、それ以外にも、ローラのシャフトが発熱によって異常に温度上昇することが原因で、直接間接的に火災事故につながる可能性も指摘されている。
【０００９】
特に、化学工場や製紙会社、主に可燃性材料を扱うリサイクル工場や粉塵爆発を伴う材料を扱う工場のベルトコンベヤにおいては、あってはならない大事故を起こす原因になることもある。
【００１０】
通常、このようなベルトコンベヤ用ローラの異常を発見し、或いは対処するには、日常点検で目視又は直接接触して或いは取り外して点検し対処している。
【００１１】
しかしながら、運転中のコンベヤのローラを目視以外で点検することは、非常に危険な行為で現実的ではない。
【００１２】
また、長距離コンベヤではトンネル内に敷設されたコンベヤ用ローラの保守管理作業は、困難を極める。
そこで、ベルトコンベヤが運転中でも安全にローラの異常を発見する方法がある。
【００１３】
例えば、ローラのシャフト端部やローラ本体の側面に熱に反応して変色する塗料を塗布する、或いは着色したマーカを貼り付けることでローラの回転不良を目視で確認する方法、或いはベアリング部からの異音から間接的に推測する方法である。
【００１４】
しかしながら、塗料や着色を用いる方法では、剥がれたり色あせたりして、長期間の使用に耐えられないし、異音を聞く方法も多くのローラの中から見極めるのは容易ではないのが現状である。
【００１５】
これらの問題に対して、ローラの火災の原因となる昇温を検出する方法の一例としての特許文献２の方式は、ローラにおける固定軸にステーターを、ローラとしての円筒体内周面にローターを装着して発電機を構成し、この発電機に出力検出手段を接続すると共に、軸受の近傍に温度スイッチを設置し、この温度スイッチに温度異常警報器を接続し、この温度スイッチと温度異常警報器を、出力検出手段と並列に、発電機に接続してあるが、この方式では装置が煩雑で大幅なコストアップになる。
【００１６】
しかも、各コンベヤのローラ毎に異常検出を行うので、コンベヤ装置に大幅な出費をともなう問題があった。
【００１７】
そこで、この発明は、上述の問題を解決したローラの異常温度を検出するローラを提供することにある。
【課題を解決するための手段】
【００１８】
上記の課題を解決するために、この発明は、筒状のローラ本体と、このローラ本体の軸芯に貫通するシャフトと、上記ローラ本体の両端内に組み込んで上記シャフトに対し前記ローラ本体がフリーに回転するように軸承する軸受とからなるローラにおいて、上記シャフトの端面に発光部を設け、また上記シャフトに電源を設け、さらに上記シャフトの端部に上記軸受の異常な昇温にともないＯＮになる熱感知スイッチを設け、上記シャフトに上記熱感知スイッチのＯＮにともない上記発光部を発光させる電源を設けた構成を採用する。
【発明の効果】
【００１９】
以上のように、この発明のローラによれば、ローラ本体のスムーズな回転を阻害する例えば焼き付きなどの影響により軸受が昇温し、その昇温が異常に上昇すると、異常温度がシャフトに伝達する。
【００２０】
すると、シャフトの熱感知スイッチがＯＮになって電源から発光部に通電して発光部が点灯或いは点滅するので、ローラの異常温度による不具合を知らせることができる。
【００２１】
このため、コンベヤの運転を停止して、不具合なローラによる火災発生などの事故を未然に防止することができる効果がある。
【００２２】
また、シャフトに感熱スイッチ及び電源を設ける方式を採用したため、コンパクトになり、かつ構造が簡単なためコストの低減をはかることもでき、それ以外に、保守管理も容易になる。
【図面の簡単な説明】
【００２３】
【図１】この発明のローラを示す一部切欠正面図である。
【図２】同上の要部を示す縦断拡大平面図である。
【図３】回路図である。
【発明を実施するための形態】
【００２４】
次に、この発明の実施形態を添付図面に基づいて説明する。
図１及び図２に示すＡは、例えばベルトコンベヤに用いるローラである。
【００２５】
上記のローラＡは、筒状のローラ本体１と、このローラ本体１の軸芯に貫通するシャフト２と、ローラ本体１の両端内に組み込んでシャフト２に対しローラ本体１がフリーに回転するように支承する軸受３とで構成されている。
【００２６】
上記の軸受３は、図示の場合、周知のようにローラ本体１の両端内に嵌入すると共に、ローラ本体１の端縁に外周縁をかしめなどの手段で支持させたケース４と、このケース４に嵌入してケース４の内周面に外輪を、シャフト２の外周面に内輪をそれぞれ圧接保持させたベアリング５とで構成されている。
【００２７】
なお、周知のようにケース４の開放外端内に複数の屈曲筒状体６を迷路を形成するよう組み込んである。
【００２８】
また、シャフト２の端面には、発光部７が設けてある。
上記の発光部Ｂは、図示の場合、電線をシャフト２の外端面からねじ込み方式で装着するようにしてあり、そして図示の場合シャフト２の片端のみに発光部Ｂを設けたが、限定されず両端に設けることもできる。
【００２９】
さらに、シャフト２には、軸受３の異常な昇温にともない熱の影響を受けてＯＮになる熱感知スイッチＣと、熱感知スイッチＣのＯＮにともない発光部Ｂに通電する電源Ｄとが設けてある。
【００３０】
上記の熱感知スイッチＣとしては、図示の場合コイル状のバイメタルを用い、軸受３の異常な昇温にともないコイル状のバイメタルが伸長して電源Ｄとしての電池の電流を図３に示す回路Ｅをへて発光部Ｂに通電するので、発光部Ｂが点灯或いは点滅して異常な昇温、すなわち、放置することで火災の発生を招く旨を知らせることができ、発光部Ｂの点灯・点滅にともないコンベヤの運転を作業者により停止する。
【００３１】
前後熱感知スイッチＣにバイメタルを用いたが、限定されず、その他の例として異常な昇温により溶融するヒューズ形式を採用することもできる。要するに異常な昇温でスイッチがＯＮになるものであればよい。
【００３２】
なお、図２に示すように、ケース１１内に電源Ｄと熱感知スイッチＣとを組み込んだカセット形式とすると共に、シャフト２の端面から内方に向く凹入孔１２にケース１１を嵌入しながらねじ部１３でシャフト２にケース１１をセットできる方式を採用することで、電池の交換や装置の安定した供給化をはかることができ、それ以外にも保守点検の作業の簡素化をかはることができるようしたが、前記の方式に限定されず、例えば、シャフト２の端部（軸受３の異常な昇温の熱の影響を受ける位置）の外周に（図示省略）熱感知スイッチＣ及び電源Ｄを設けてもよい。
【符号の説明】
【００３３】
Ａ  ローラ
Ｂ  発光部
Ｃ  熱感知スイッチ
Ｄ  電源
Ｅ  回路
１  ローラ本体
２  シャフト
３  軸受
４  ケース
５  ベアリング
６  屈曲筒状体
【図１】
2016147720.tif 000003
【図２】
2016147720.tif 000004
【図３】
2016147720.tif 000005